(57)【要約】【課題】  手動レバーが水切りかごの慣性力により回転されている最中に手動レバーに接触したり、手動レバーの回転軌跡内にうっかり食器を置いたりしても不具合がなく、しかも、手動レバー等の駆動手段の回転が理由の如何を問わず阻止されても、水切りかごの慣性力による回転が持続され脱水を継続するとともに、歯車輪列を構成する歯車の薄型化が可能な生ゴミ脱水装置を提供すること。【解決手段】  手動レバー３からの出力を水切りかご８に伝達する増速輪列１０中に、コイルスプリング６３と小径歯車６１および大径歯車６２から成る増速ギヤ６により構成される一方向クラッチが配設され、手動レバー３の回転が阻止されても水切りかご８の慣性力による回転が許容されるようになっている。【選択図】    図２
2006008319.tif 000002
【特許請求の範囲】
【請求項１】
流し台のシンク底部の排水口に設けられ収納部内に回転可能に配設された水切りかごと、該水切りかごを覆う蓋と、該蓋に設けられ、前記水切りかごを回転可能に連結された駆動手段とを有し、
前記水切りかごと前記駆動手段との間に、該駆動手段からの出力を前記水切りかごに伝達する歯車輪列を有し、該歯車輪列中に、前記駆動手段の回転が阻止された場合に前記水切りかごの慣性力による回転が許容される一方向クラッチを配設したことを特徴とする生ゴミ脱水装置。
【請求項２】
請求項１において、前記歯車輪列は、前記駆動手段からの出力を前記水切りかごに増速して伝達する増速輪列とするとともに、前記駆動手段は、前記蓋の上部において手動により前記水切りかごを回転させる手動レバーであることを特徴とする生ゴミ脱水装置。
【請求項３】
請求項１または２において、前記蓋は、その上面に前記駆動手段の出力部を回転可能に支持する上部支持部を有するとともに、下面に前記水切りかごに係合し、前記歯車輪列を介して前記駆動手段の回転によって前記水切りかごを回転させる回転ディスクを回転可能に支持する下部支持部を有し、前記上部支持部と前記下部支持部とは同軸上で、且つ前記蓋の略中央に形成されていることを特徴とする生ゴミ脱水装置。
【請求項４】
請求項１ないし３のいずれかにおいて、前記駆動手段が連結される連結部を有し、該連結部は、前記駆動手段としての、手動により前記水切りかごを回転させる手動レバーおよび電動により前記水切りかごを回転させる電動部材の双方が連結可能に構成されていることを特徴とする生ゴミ脱水装置。
【発明の詳細な説明】
【技術分野】
【０００１】
本発明は、流し台のシンク底部の排水口に設けられた生ごみ収納器に関し、詳しくは、排水口の収納部内に回転可能に設けられた水切りかごを有する生ゴミ脱水装置に関するものである。
【背景技術】
【０００２】
従来より、流し台のシンク底部の排水口に設けられ、流し台からのゴミを収納するゴミ収納かごを有したゴミ収納器がある。しかし、ゴミ収納かごを取り出し、生ゴミを処分する際に完全に水分が切れない場合も多く衛生上の問題があった。このようなことから、昨今、手動により水切りかごを回転させ脱水を行う手動式生ゴミ脱水装置が案出されている（例えば、特許文献１参照）。
【０００３】
特許文献１の生ゴミ脱水装置は、図５に示されるように、手動レバーＡの回転を増速して水切りかごＢに伝達する増速機構を有しているため、脱水動作において、水切りかごは高速で回転させられることになる。故に、生ゴミが水切りかごＢいっぱいに満載された状態で高速回転された場合、水切りかごＢの慣性力は非常に大きくなっている。しかも、水切りかごＢは、底部の回転軸に支え台の軸支突起が嵌合し、抵抗を減らした状態で支持されている。従って、手動レバーＡから手を離しても水切りかごＢの慣性力により手動レバーＡは長時間回転し続けることになる。
【特許文献１】実開昭６０−１７０２号公報
【発明の開示】
【発明が解決しようとする課題】
【０００４】
しかしながら、上述の生ゴミ脱水装置によれば、手動レバーＡから手を離してから手動レバーＡの回転が停止するまでに長時間のタイムラグがあるため、回転している手動レバーＡに、誤って手が接触して怪我をするという問題があった。また、手動レバーＡの回転軌跡内に、うっかり食器を置いてしまい手動レバーＡが接触して食器が傷付いたり、積み上げられた食器の場合、食器が崩れて破損してしまうという問題があった。さらに、手動レバーＡが手や食器等に接触して停止されると、慣性による水切りかごＢの回転が停止し、脱水を継続できなくなるという問題があった。
【０００５】
以上の問題点に鑑みて、本発明の課題は、手動レバーが水切りかごの慣性力により回転されている最中に手動レバーに接触したり、手動レバーの回転軌跡内にうっかり食器を置いたりしても不具合がなく、しかも、手動レバー等の駆動手段の回転が理由の如何を問わず阻止されても、水切りかごの慣性力による回転が持続され脱水が継続されるとともに、歯車輪列を構成する歯車の薄型化が可能な生ゴミ脱水装置を提供することにある。
【課題を解決するための手段】
【０００６】
上記の課題を解決するために、本発明では、流し台のシンク底部の排水口に設けられ収納部内に回転可能に配設された水切りかごと、該水切りかごを覆う蓋と、該蓋に設けられ、前記水切りかごを回転可能に連結された駆動手段とを有し、前記水切りかごと前記駆動手段との間に、該駆動手段からの出力を前記水切りかごに伝達する歯車輪列を有し、該歯車輪列中には、前記駆動手段の回転が阻止された場合に前記水切りかごの慣性力による回転が許容される一方向クラッチを配設したことを特徴とする。
【０００７】
本発明において、前記歯車輪列は、前記駆動手段からの出力を前記水切りかごに増速して伝達する増速輪列とするとともに、前記駆動手段は、前記蓋の上部において手動により前記水切りかごを回転させる手動レバーであることが好ましい。このように構成すると、手動により手動レバーを回転させる構造であっても、増速輪列によって手動レバーの回転を増速して水切りかごに伝達されるため、水切りかごは高速で回転させられる。故に、大きな脱水効果を得ることができる。しかも、水切りかごの慣性力による手動レバーの回転に対して、手や食器が手動レバーに接触し、或いは、不測の事態によって手動レバーの回転が停止されても、水切りかごの慣性力が一方向クラッチで遮断される。故に、本形態のようにシンクの底に手動レバーのような回転体が露出しているような場合であっても、安全性と信頼性とを確保することができる。
【０００８】
本発明において、前記蓋は、その上面に前記駆動手段の出力部を回転可能に支持する上部支持部を有するとともに、下面に前記水切りかごに係合し、前記歯車輪列を介して前記駆動手段の回転によって前記水切りかごを回転させる回転ディスクを回転可能に支持する下部支持部を有し、前記上部支持部と前記下部支持部とは同軸上で、且つ前記蓋の略中央に形成されていることが好ましい。このように構成すると、上部支持部が蓋の略中央に形成されるので、蓋の上面範囲内で手動レバーの回転半径を最大限に確保することができる。また、回転ディスクの支持部が上部支持部と同軸上、すなわち、蓋の下面の略中央に下部支持部として形成される。故に、手動レバーと回転ディスクとをそれぞれ蓋の上面および下面の略中央で支持できるので、両支持部をコンパクトに構成可能となり、装置の小型化が図れる。
【０００９】
本発明において、前記駆動手段が連結される連結部を有し、該連結部は、前記駆動手段としての、手動により前記水切りかごを回転させる手動レバーおよび電動により前記水切りかごを回転させる電動部材の双方が連結可能に構成されていることことが好ましい。このように構成すると、連結部が手動レバーと電動部材との双方に互換可能に形成されるので、駆動手段を、必要に応じて手動レバーから電動部材に、或いは、電動部材から手動レバーに自在に交換することが可能となり、ユーザの様々なニーズに対応することができる。
【発明の効果】
【００１０】
本発明によれば、駆動手段からの出力を水切りかごに伝達する歯車輪列に駆動手段の回転が阻止されても水切りかごの慣性力による回転が許容される一方向クラッチが配設されているので、駆動手段の回転が理由の如何を問わず阻止されても、水切りかごの慣性力による回転が持続され脱水を継続することができる。さらに、駆動手段としての手動レバーが水切りかごの慣性力により回転されている最中に、シンク底部から上方へ突出したつまみ等に接触したり、手動レバーの回転軌跡内にうっかり食器を置いたりしても水切りかごの慣性力による回転が一方向クラッチで遮断されるので不具合が発生しない。しかも、歯車輪列にも大きな負荷がかからないので、歯車輪列を構成する歯車の薄型化が図れる。
【発明を実施するための最良の形態】
【００１１】
以下に、図面を参照して、本発明を適用した生ゴミ脱水装置の一例を説明する。
【００１２】
図１は、本発明を適用した流し台のシンクを一部拡大して示す側断面図である。図２は、図１に示す生ゴミ脱水装置の分解斜視図である。
【００１３】
図１において、台所に設置される流し台には食器や野菜などを洗うシンクが設けられており、このシンク内底部１００に開口する排水口１０１に、生ゴミ脱水装置１が取り付けられている。この生ゴミ脱水装置１は、排水口１０１に開口して取り付けられる収納部としての有底円筒状の収納体９と、この収納体９の内部にすっぽり収納され排水口１０１から落ちる生ゴミを受ける有底円筒状の水切りかご８と、脱水を行う際に水切りかご８を覆い、この水切りかご８を回転駆動させる駆動手段としての手動レバー３が設けられた蓋５とから主に構成されている。
【００１４】
図２に示すように、収納体９は、円筒状の側壁９３の開口側が外側に９０°屈曲して鍔部９１になっている。また、側壁９３の開口側は、大径部９７になっており、その外周には鍔部９３に隣接するように雌ネジ９２が形成されている。さらに、内周側には、段部９８が形成され、段部９８から軸方向に延設された凸部９９が内周に沿って複数形成されている。そして、この収納体９は、排水口１０１の周縁部１０２において、その上面側に鍔部９１を当接させ下面側からリング状のシール材１２を挟持するようにして雄ネジ９２に噛合したナット１１を締め付けることによりシンク内底部１００に機密に取り付けられている。一方、円筒状の側壁９３の底部側には、排水管１０３が連結される排水筒部９４が外側に突出形成されている。
【００１５】
この収納体９の内部には、排水口１０１から落ちる生ゴミを受ける水切りかご８が、すっぽりと収納され、後述する回転軸穴８５が、収納体９の底部９６の略中央から突設された軸支持突起９５に係合して水平回転可能になっている。
【００１６】
水切りかご８は、図２に示すように、パンチングメタルを用いて上面が開口した有底円筒状に形成されており、その円筒状の側壁８４には、円形脱水孔８１が多数全面に亘って穿設されている。水切りかご８は、開口側である側壁８４の上端が外側に９０°屈曲して鍔部８３になっており、その上面に凹凸部８２が形成されている。水切りかご８は、底部中央を内側に突出させ、下方へ開口した上述の回転軸穴８５が凹設してあり、軸支持突起９５が係合するようになっている。なお、水切りかご８は、必ずしもパンチングメタルに限定されるものではなく、樹脂等を用いて形成しても良い。
【００１７】
排水口１０１には、脱水を行う際に取り付ける水切りかご８を覆う蓋５があり、蓋５には、駆動手段としての手動レバー３と、この手動レバー３と機構的に連結される増速輪列１０と、この増速輪列１０と機構的に連結されるとともに水切りかご８が回転可能に連結された回転ディスク７とが取り付けられている。
【００１８】
蓋５は、下面が開口した有底円筒状に形成され、その円筒状の側壁５６には、開口から軸方向に延設された凹部５７が外周に沿って複数形成されている。凹部５７は、脱水を行う際、蓋５の円筒状の側壁５６を収納体９の大径部９７の内周に沿って挿入させると、凸部９９が係合することにより、蓋５の周方向への回転が阻止されるようになっている。
【００１９】
蓋の上面側には、その中心に上部支持部としての軸支持突起５１が突設されるとともに、この軸支持突起５１を囲むようにしてリング状の凹部５２が凹設されており、その径方向外側の側壁の一部が、蓋５の上面側から下面側に連結するように切り欠かれた切り欠き部５５になっている。
【００２０】
また、蓋５の下面側には、軸支持突起５１と同軸上に下部支持部としての軸支持突起５３が突設されている。さらに、切り欠き部５５近傍の径方向外側には、軸支持突起５３と略平行に軸支持突起５４が突設されている。
【００２１】
増速輪列１０は、駆動ギヤ４と増速ギヤ６とから構成されている。駆動ギヤ４は、有底円筒状に形成されており、底部上面の中央からは上方に向かって小径突起部４１が突設され、その内周側が蓋５の上面側に突設された軸支持突起５１に回動可能に支持されている。また、外周側にセレーションが形成されている。また、円筒状に形成された側壁４３の開口側は、凹部５２内に収納され、その下端が、外側に９０°屈曲して鍔部４２になっており、鍔部４２の外周には、歯部が形成されて切り欠き部５５に臨んでいる。
【００２２】
一方、増速ギヤ６は、切り欠き部５５において、駆動ギヤ４の鍔部４２外周の歯部に噛合する歯部を有する小径歯車６１と、この小径歯車６１より大径の大径歯車６２とから構成され、小径歯車６１は、有底円筒状に形成されている。また、大径歯車６２は、小径歯車６１の有底円筒状に形成された内部空間に嵌挿される筒状部６２１と、この筒状部６２１から径方向に延設され、その先端の外周に歯部が形成されたフランジ部６２２とから構成され、筒状部６２１の内周側に軸支持突起５４が挿通して増速ギヤ６が回転可能に支持されるようになっている。
【００２３】
なお、大径歯車６２の筒状部６２１と小径歯車６１の内壁との隙間には、手動レバー３のＣＷ方向およびＣＣＷ方向のいずれか一方の回転のみを回転ディスク７に伝達するための一方向クラッチを構成する構成要素としてのコイルスプリング６３が配設されている。
【００２４】
コイルスプリング６３は、圧入状態で小径歯車６１の内周面に配設される。このコイルスプリング６３は、下端部分が中心方向に屈曲した屈曲部６３１を有しており、この屈曲部６３１が筒状部６２１に形成された図示しないスリット内に係合している。これによってコイルスプリング６３は、大径歯車６２と一体回転的に回転可能とされている。
【００２５】
さらに、コイルスプリング６３は、小径歯車６１が手動レバー３のＣＷ方向およびＣＣＷ方向のいずれか一方の回転を受けて回転すると、屈曲部６３１まで伝達された力により拡径する方向の力を受ける。故に、コイルスプリング６３の外周面が小径歯車６１の内周面に強く当接する。従って、大径歯車６２が小径歯車６１と一体回転し、手動レバー３の回転力が増速されて回転ディスク７に伝達される。逆に、コイルスプリング６３は、小径歯車６１が手動レバー３のＣＷ方向およびＣＣＷ方向のいずれか他方の回転を受けて回転すると、屈曲部６３１まで伝達された力により縮径する方向の力を受ける。従って、小径歯車６１のみで空回りする。すなわち、コイルスプリング６３と小径歯車６１および大径歯車６２から成る増速ギヤ６により、一方向クラッチが構成されている。なお、本形態では、増速ギヤ６により一方向クラッチを構成したが、必ずしも増速ギヤ６による形態に限定されるものではなく、例えば、ラチェット等、様々な一方向クラッチを採用することができる。
【００２６】
手動レバー３は、内周側に、駆動ギヤ４の小径突起部４１の外周側に形成されたセレーションに係合してセレーション結合されるセレーション３２が形成された円筒部３１と、円筒部３１の下端から半径方向の外方に延設され駆動ギヤ４を覆うフランジ部３２と、円筒部３１からフランジ部３２の半径方向外方へ延設されたレバー部３３とから主に構成されている。レバー部３３の先端には、つまみ３５を回転可能に支持する軸支持突起３４が、軸方向に突出形成されている。つまみ３５は、その内周側に軸支持突起３４が差し込まれ、その上からワッシャ３６を介してビス３７によりビス止めされて軸支持突起３４の周りに回転可能に支持されている。この手動レバー３は、そのフランジ部３２を駆動ギヤ４を覆うように被せ、円筒部３１を駆動ギヤ４の小突起４１にセレーション結合した状態で、その上からワッシャ３８を介してビス３９によりビス止めさせることにより、両者３、４は、抜け止め一体化され、手動レバー３を回すことにより、駆動ギヤ４が一体に回転される。この際、つまみ３５は、手動レバー３の回転に合わせて自由に回転できるようになっている。
【００２７】
回転ディスク７は、小径突起７１と、この小径突起７１から径方向に延設されたフランジ部７２とから構成され、小径突起部７１の外周側に形成された歯部が、大径歯車６２のフランジ部６２２に形成された歯部に噛合した状態で、小径突起７１の内周側に軸支持突起５３が差し込まれ、その上からワッシャ７５を介してビス７６によりビス止めされて軸支持突起５３の周りに回転可能に支持されている。
【００２８】
回転ディスク７のフランジ部７２は、その周端が略４５°上方に向かって傾斜した傾斜周縁部７３なっており、この傾斜周縁部７３の下面から下方に水切りかごの凹凸部８２が係合する凹凸部７４が形成されている。故に、脱水の際、回転ディスク７の回転が凹凸部７４と凹凸部８２を介して水切りかご８に伝達される。なお、凹凸部８２と凹凸部７４との係合の際に凸部どうしがぶつかった場合でも、一方向クラッチにより回転ディスク７の回転が許容されるため凹凸部７４が凹凸部８２に係合可能な位置まで移動し、両者がスムーズに係合できる。
【００２９】
本発明の生ゴミ脱水装置１では、蓋５上面の中央にある手動レバー３のつまみ３５を持って手で水平回転させることにより、手動レバー３の回転が、セレーション結合によって駆動ギヤ４に伝達され、さらに、増速ギヤ６を介して、回転ディスク７に伝達されるので、回転ディスク７が高速回転される。水切りかご８は、回転ディスク７の回転が凹凸部７４と凹凸部８２を介して伝達されるため、回転ディスク７と一体になって高速回転する。すなわち、水切りかご８は、手動レバー３の回転が増速輪列１０によって、６倍程度に増速されるため、大きな脱水効果を得ることができる。
【００３０】
（本形態の効果）
以上説明したように、本形態の発電装置１では、上記の課題を解決するために、手動レバー３からの出力を水切りかご８に伝達する増速輪列１０中に、コイルスプリング６３と小径歯車６１および大径歯車６２から成る増速ギヤ６により構成される一方向クラッチが配設され、手動レバー３の回転が阻止されても水切りかご８の慣性力による回転が許容されるようになっている。このように構成すると、手動レバー３の回転が阻止された場合に、水切りかご８の慣性力による回転が持続され脱水を継続することができる。さらに、手動レバー３が水切りかご８の慣性力により回転されている最中につまみ３５等に接触したり、手動レバー３の回転軌跡内にうっかり食器を置いたりしても水切りかご８の慣性力による回転が一方向クラッチで遮断されるので不具合が発生しない。さらにまた、水切りかご８は、手動レバー３の回転が増速輪列１０によって６倍程度に増速され伝達されるものの、脱水動作として、手動レバー３を１００ｒｐｍで２０秒程度回転させる必要があるが、その間、手動レバー３の回転速度が低下すると、慣性力により回転している水切りかご８のブレーキになってしまう。本形態では、手動レバー３の回転速度が低下しても、一方向クラッチによって、慣性力により回転している水切りかご８のブレーキにならない。また、増速輪列１０にも大きな負荷がかからないので、増速輪列１０を構成する歯車の薄型化が図れる。さらに、手動レバー３を振り子のように所定角度範囲でＣＣＷ方向とＣＷ方向の往復動作をさせることにより脱水動作を行うことも可能である。
【００３１】
さらに、本形態において、蓋５の上部に水切りかご８を回転させる手動レバー３を有するとともに、手動レバー３からの出力を水切りかご８に増速して伝達する増速輪列１０を有している。このように構成すると、手動により手動レバー３を回転させる構造であっても、増速輪列１０によって手動レバー３の回転を増速して水切りかご８に伝達されるため、水切りかご８を高速で回転させられることができる。故に、大きな脱水効果を得ることができる。しかも、水切りかご８の慣性力による手動レバー３の回転に対して、手や食器が手動レバー３に接触、また、不測の事態によって手動レバー３の回転が停止されても水切りかご８の慣性力による回転が一方向クラッチで遮断される。故に、本形態のようにシンクの底部１００に手動レバー３のような回転体が露出しているような場合であっても、安全性と信頼性とを確保することができる。
【００３２】
さらにまた、本形態において、蓋５は、その上面に手動レバー３の円筒部３１を回転可能に支持する軸支持突起５１を有するとともに、下面に水切りかご８に係合し、増速輪列１０を介して手動レバー３の回転によって水切りかご８を回転させる回転ディスク７を回転可能に支持する軸支持突起５３を有し、軸支持突起５１と軸支持突起５３とは同軸上で、且つ蓋５の略中央に形成されている。このように構成すると、軸支持突起５１が蓋５の略中央に形成されるので、蓋５の上面範囲内で手動レバー３の回転半径を最大限に確保することができる。また、回転ディスク７の支持部が軸支持突起５１と同軸上、すなわち、蓋５の下面の略中央に軸支持突起５３として形成される。故に、手動レバー３と回転ディスク７とをそれぞれ蓋５の上面および下面の略中央で支持できるので、両支持部をコンパクトに構成可能となり、装置の小型化が図れる。
【００３３】
［その他の実施の形態］
図３は、図１に示す生ゴミ脱水装置の手動レバーに換えて電動部材を取り付ける様子を説明するための側断面図である。図４は、図３に示す電動部材の分解斜視図である。
【００３４】
本形態の生ゴミ脱水装置１は、図３に示すように、手動レバー３に換えて電動により水切りかご８を回転させる電動部材２を取り付けることができるように構成されている。すなわち、本形態の場合、上述の通り手動レバー３の回転が６倍程度に増速されるものの、脱水には、１００ｒｐｍで約２０秒程度の回転させる必要があるが、それほど高速で長時間手動レバー３を回転させることができない人のために、軸支持突起２５１にビス止めされた手動レバー３のみを取り外し、手動レバー３に換えて駆動手段としての電動部材２を取り付けられるようになっている。
【００３５】
図４に示すように、電動部材２は、駆動源としてのモータ２１と、このモータ２１の回転を減速して伝達する減速輪列１４と、この減速輪列１４を介して回転駆動される出力円筒部１３１とが、ケース１５およびカバー２０とからなるケース体１９の内部に配設されている。
【００３６】
ケース体１９の内部は、中地板２４によって軸方向の上下の空間に２分割されており、上部空間には、モータ２１と、このモータ２１を駆動する単三電池２６とが配設され、モータ２１は、図示しないスイッチによりオン、オフ可能に構成されている。中地板２４には上下空間を繋ぐ透孔２５が形成され、モータの回転軸２２が透孔２５を介して下部空間まで延設されている。なお、回転軸２２にはピニオンギヤ２が圧入され、下部空間に配設されている。
【００３７】
また、減速輪列１４も下部空間に配設されており、減速輪列は、ピニオンギヤ２３と噛合する大径ギヤを備えた第１の減速ギヤ２７と、この第１の減速ギヤ２７の小径ギヤと噛合する大径ギヤを備えた第２の減速ギヤ２８と、この第２の減速ギヤ２８の小径ギヤと噛合する大径ギヤを備えた第３の減速ギヤ２９と、この第３の減速ギヤ２９の小径ギヤと噛合する出力ギヤ１３とを備えており、この出力ギヤ１３の側面に下方側に開口するようにして小径の出力円筒部１３１が形成されている。
【００３８】
第１の減速ギヤ２７と第３の減速ギヤ２９は軸方向に重合され、それぞれの小径ギヤに形成された中空部に、ケース体に両端が保持された回転中心軸１６が差し込まれ、第１の減速ギヤ２７と第３の減速ギヤ２９とは、それぞれ回転支軸１６周りに回転可能に支持されている。また、第２の減速ギヤ２８の小径ギヤに形成された中空部にも、ケース体に両端が保持された回転支軸１７が差し込まれ、第２の減速ギヤ２８は、回転支軸１７周りに回転可能に支持されている。
【００３９】
出力ギヤ１３は、出力円筒部１３１の開口側の外周が、ケースの底部に形成された透孔１５１によって軸支されるとともに、根本側の外周にオイルシール１８が嵌まり、水分のケース内への侵入を防止するようになっている。また、出力円筒部１３１の内周側には、駆動ギヤ４の小径突起部４１の外周に形成されたセレーションにセレーション結合するセレーションが形成され、駆動ギヤ４が出力円筒部１３１とともに一体回転可能になっている。
【００４０】
ここで、駆動ギヤ４の小突起部４１を出力円筒部１３１にセレーション結合するように、電動部材２を蓋５上面に取り付けると、駆動ギヤ４の小突起部４１の上面が、出力円筒部１３１の底部１３２の近傍まで挿入されるようになっている。従って、駆動ギヤ４はビスを使って固定しなくても蓋５の上面から外れることがない。
【００４１】
なお、本発明の生ゴミ脱水装置では、図示しないスイッチによりモータ２１がオンされ回転されることにより、モータ２１によって回転される出力円筒部１３１の回転が、セレーション結合によって駆動ギヤ４に伝達され、さらに、増速ギヤ６を介して、回転ディスク７に伝達されるので、回転ディスク７が高速回転される。水切りかご８は、回転ディスク７の回転が凹凸部７４と凹凸部８２を介して伝達されるため、回転ディスク７と一体になって高速回転する。
【００４２】
（本形態の効果）
本形態において、駆動ギヤ４の小突起部４１は、その外周側に手動レバー３の円筒部および水切りかご８を回転させる電動部材２の双方がセレーション結合により連結可能に構成されている。このように構成すると、小突起部４１の外周側が、手動レバー３と電動式部材２との双方に互換可能に形成されるので、必要に応じて手動レバー３から電動部材２に、または、電動部材２から手動レバー３に自在に交換することが可能となり、ユーザの様々なニーズに対応することができる。
【図面の簡単な説明】
【００４３】
【図１】本発明を適用した流し台のシンクを一部拡大して示す側断面図である。
【図２】図１に示す生ゴミ脱水装置の分解斜視図である。
【図３】図１に示す生ゴミ脱水装置の手動レバーに換えて電動部材を取り付ける様子を説明するための側断面図である。
【図４】図３に示す電動部材の分解斜視図である。
【図５】従来の生ゴミ脱水装置の説明図である。
【符号の説明】
【００４４】
１  生ゴミ脱水装置
２  電動部材（駆動手段）
３  手動レバー（駆動手段）
５  蓋
６  増速ギヤ（一方向クラッチ）
８  水切りかご
９  収納体（収納部）
１０  増速輪列（歯車輪列）
４１  小径突起部（連結部）
５１  軸支持突起（上部支持部）
５３  軸支持突起（下部支持部）
【図１】
2006008319.tif 000003
【図２】
2006008319.tif 000004
【図３】
2006008319.tif 000005
【図４】
2006008319.tif 000006
【図５】
2006008319.tif 000007